(57)【特許請求の範囲】
【請求項１】
壁面に吊り下げ固定される装置の筐体の上面から該上面寄りの裏面部分にかけて形成された凹部に取り付けられて、前記筐体の前記壁面への固定に使用されるアタッチメントであって、
前記凹部に取り付けた状態で該凹部により切除された前記筐体の上面部分及び裏面部分を構成する基部と、
前記基部に連設され、前記凹部に取り付けた状態で前記筐体の上面における前記凹部の周縁部分に形成された被係合部に下方から係合される係合部とを備えており、
前記基部は、前記凹部に取り付けた状態で前記筐体との間に空間を画成するカバー片部を有しており、
前記カバー片部には、前記壁面に取り付けられたねじ又は釘の頭部を挿入して前記カバー片部に係止させるための係止孔が形成されており、
前記基部には、該基部を貫通して前記壁面に打設される前記基部の固定用ピンを挿通させるためのピン挿通孔が形成されている、
ことを特徴とするアタッチメント。
【請求項２】
前記被係合部は、前記上面の前記凹部を挟んで対向する一対の周縁部分に各々形成されており、前記係合部は前記各被係合部に対応して一対設けられている請求項１記載のアタッチメント。
【請求項３】
前記壁面に取り付けられた前記ねじ又は前記釘の頭部を前記係止孔に挿入して前記カバー片部に係止させた状態、又は、前記ピン挿通孔に挿通させた前記固定用ピンを前記壁面に打設した状態で、前記壁面に接触する前記カバー片部の前記係止孔の周縁部分には、前記壁面に係止される係止爪が形成されている請求項１又は２記載のアタッチメント。
【請求項４】
装置の筐体を壁面に吊り下げ固定するためのユニットであって、
前記筐体の上面から該上面寄りの裏面部分にかけて形成された凹部と、
前記筐体の上面における前記凹部の周縁部分に形成された被係合部と、
前記凹部に取り付けられる請求項１、２又は３記載のアタッチメントとを備えている、
ことを特徴とする装置の筐体吊り下げ固定ユニット。
【発明の詳細な説明】
【技術分野】
【０００１】
本発明は、ガス漏れ警報器や火災警報器等の装置の筐体を壁面に取り付けるための取付ユニットに関するものである。
【背景技術】
【０００２】
例えばガス漏れ警報器や火災警報器等の装置の筐体を壁面に取り付ける際、材質が木である壁面には、先に壁面に木ねじを取り付けてその頭部に筐体を吊すのが通常であるが、材質が石膏ボードである壁面の場合は、木ねじを取り付けても脆くて取れてしまい易いことから、壁面に奥深く打ち込んだ細径長尺のピンによってフック付きのアタッチメントを壁面に取り付けて、そのフックに筐体を吊すのが通常である。
【０００３】
上述したような取付形態の場合、木ねじの頭部やアタッチメントのフックは、旧来は筐体の上端から上方に向けて突設された取付片部の吊り下げ用孔に挿通することが多かったが、昨今では、木ねじの頭部やフックを視界から隠すために、筐体の裏面に形成した取付用の凹部に挿入することが多くなっている（例えば特許文献１）。
【特許文献１】特開２００４−３２６５３６号公報
【発明の開示】
【発明が解決しようとする課題】
【０００４】
しかしながら、筐体の奥行き寸法の増大を避ける観点から、筐体裏面の取付用凹部の深さには自ずと限界があり、一方、吊り下げ後の筐体を壁面にピッタリとくっつけるためには、先に壁面に取り付けた木ねじの壁面からの突出寸法や、アタッチメントからのフックの突出寸法を、筐体の取付用凹部の深さよりも短くしなければならない。
【０００５】
そのため、木ねじの頭部やアタッチメントのフックを筐体裏面の取付用凹部に挿入する際には、壁面と筐体との隙間を必然的に、木ねじの壁面からの突出寸法やアタッチメントからのフックの突出寸法にまで狭めて木ねじの頭部やフックを取付用凹部へ位置合わせしなければならず、その作業が非常に行い難いという不具合があった。
【０００６】
また、石膏ボードの壁面に筐体を取り付ける際に使用する従来のアタッチメントは、いわゆる筐体のホルダー的なものであり、筐体をフックに引っかけて吊すと筐体の周囲にアタッチメントがはみ出して見栄えが悪いという不具合もあった。
【０００７】
本発明は前記事情に鑑みなされたもので、本発明の目的は、ガス漏れ警報器や火災警報器等の装置の筐体を、木の壁面に取り付けた木ねじの頭部に吊す際にも、あるいは、石膏ボードの壁面に小径長尺のピンで取り付けたアタッチメントのフックに吊す際にも、筐体の木ねじの頭部やフックの位置合わせを作業性よく行うことができる、壁面への取付後における装置筐体の見栄えを損ねないアタッチメントと、このアタッチメントを用いて好適な装置の筐体吊り下げ固定ユニットとを提供することにある。
【課題を解決するための手段】
【０００８】
前記目的を達成する請求項１乃至請求項３記載の本発明はアタッチメントに関するものであり、請求項４記載の本発明は装置の筐体吊り下げ固定ユニットに関するものである。
【０００９】
そして、請求項１に記載した本発明のアタッチメントは、壁面に吊り下げ固定される装置の筐体の上面から該上面寄りの裏面部分にかけて形成された凹部に取り付けられて、前記筐体の前記壁面への固定に使用されるアタッチメントであって、前記凹部に取り付けた状態で該凹部により切り欠かれた前記筐体の上面部分及び裏面部分を構成する基部と、前記基部に連設され、前記凹部に取り付けた状態で前記筐体の上面における前記凹部の周縁部分に形成された被係合部に下方から係合される係合部とを備えており、前記基部が、前記凹部に取り付けた状態で前記筐体との間に空間を画成するカバー片部を有しており、前記カバー片部に、前記壁面に取り付けられたねじ又は釘の頭部を挿入して前記カバー片部に係止させるための係止孔が形成されており、前記基部に、該基部を貫通して前記壁面に打設される前記基部の固定用ピンを挿通させるためのピン挿通孔が形成されていることを特徴とする。
【００１０】
また、請求項２に記載した本発明のアタッチメントは、請求項１に記載した本発明のアタッチメントにおいて、前記被係合部が、前記上面の前記凹部を挟んで対向する一対の周縁部分に各々形成されており、前記係合部が前記各被係合部に対応して一対設けられている構成とした。
【００１１】
さらに、請求項３に記載した本発明のアタッチメントは、請求項１又は２に記載した本発明のアタッチメントにおいて、前記壁面に取り付けられた前記ねじ又は前記釘の頭部を前記係止孔に挿入して前記カバー片部に係止させた状態、又は、前記ピン挿通孔に挿通させた前記固定用ピンを前記壁面に打設した状態で、前記壁面に接触する前記カバー片部の前記係止孔の周縁部分に、前記壁面に係止される係止爪が形成されている構成とした。
【００１２】
また、請求項４に記載した本発明の装置の筐体吊り下げ固定ユニットは、装置の筐体を壁面に吊り下げ固定するためのユニットであって、前記筐体の上面から該上面寄りの裏面部分にかけて形成された凹部と、前記筐体の上面における前記凹部の周縁部分に形成された被係合部と、前記凹部に取り付けられる請求項１、２又は３記載のアタッチメントとを備えていることを特徴とする。
【発明の効果】
【００１３】
請求項１に記載した本発明のアタッチメントによれば、ねじ又は釘を用いて木製の壁面に筐体を吊り下げ固定する場合には、係止孔に頭部を挿通したねじ又は釘により基部を壁面に取り付けた状態で、また、固定用ピンを用いて石膏ボード等の脆い材料製の壁面に筐体を吊り下げ固定する場合には、ピン挿通孔に挿通させて壁面に打設した固定用ピンにより基部を壁面に取り付けた状態で、いずれも、壁面に固定されたアタッチメントの係合部を、筐体の凹部周縁の上面部分に形成された被係合部に下方から係合させて、筐体の凹部にアタッチメントを取り付けることとなる。
【００１４】
その際、筐体の被係合部は凹部周縁の上面部分に形成されていることから視界の妨げとなるものがなく、また、アタッチメント側の視界も、筐体の上面から上面寄りの裏面部分にかけて形成された凹部を通して良好に確保されることから、筐体を壁面に近づけて行う筐体の被係合部とアタッチメントの係合部との位置合わせ作業を、良好な視界の下で作業性よく行うことができる。
【００１５】
また、請求項２に記載した本発明のアタッチメントによれば、請求項１に記載した本発明のアタッチメントにおいて、アタッチメントに設けられた一対の係合部が、筐体の上面の凹部を挟んで対向する一対の周縁部分に各々形成された一対の被係合部に各々係合されることから、係合部や被係合部の間隔方向において筐体を壁面にバランスよく取付固定することができる。
【００１６】
さらに、請求項３に記載した本発明のアタッチメントによれば、係止孔に頭部を挿通したねじ又は釘により基部を木製の壁面に取り付けた状態で、又は、ピン挿通孔に挿通させて壁面に打設した固定用ピンにより基部を石膏ボード等の脆い材料製の壁面に取り付けた状態で、カバー片部の係止孔の周縁部分に形成された係止爪が、カバー片部に接触する壁面に食い込んで係止されるので、ねじ又は釘や固定用ピンを中心としてアタッチメント乃至筐体が壁面に対して揺れたり、壁面に対してアタッチメント乃至筐体の位置がずれることのないように、筐体を壁面に安定して取付固定することができる。
【００１７】
また、請求項４に記載した本発明の装置の筐体吊り下げ固定ユニットによれば、請求項１、２又は３に記載した本発明のアタッチメントにより得られる効果を有する装置を構成することができる。
【発明を実施するための最良の形態】
【００１８】
以下、本発明の実施形態について図面を参照しながら説明する。
【００１９】
図１は本発明の一実施形態に係る火災警報器の正面側から見た斜視図、図２は同裏面側から見た斜視図であり、図１中引用符号１で示す本実施形態の火災警報器（請求項中の装置に相当）は、図２に示すように、本体３（請求項中の筐体に相当）とアタッチメント３１とを有している。
【００２０】
図１に示すように、前記本体３の前面５には整流板７が取り付けられており、この整流板７と本体３の前面との間には円柱状の雰囲気取込部９が形成されていて、本実施形態の火災警報器１では、雰囲気取込部９のスリット１１から本体３の内部に取り込まれる、火災警報器１が設置される室内等の火災監視領域の雰囲気の煙濃度を、一対の発光受光素子による不図示の煙検出センサとマイクロコンピュータとにより測定することで、火災発生の有無を判定し、本体３前面のインジケータ１３やスピーカ１５等により警報出力するようにしている。
【００２１】
図２に示すように、本体３の裏面１７側には、左右方向の中央に、その上面１９から上面１９寄りの裏面１７部分にかけて、アタッチメント３１を取り付けるための凹部２１が形成されている。
【００２２】
この凹部２１は、図３に裏面側から見た拡大部分斜視図で示すように、本体３の裏面１７及び上面１９側に開放された上開放部２１ａと、この上開放部２１ａの下側に連なり本体３の裏面１７側に開放された第１横開放部２１ｂと、この第１横開放部２１ｂの下側に連なり本体３の裏面１７側に開放された第２横開放部２１ｃとを有している。
【００２３】
前記上開放部２１ａは、上面１９側よりも第１横開放部２１ｂ側の方が前後方向の奥行きが大きい台形柱状の凹部空間を画成しており、第１横開放部２１ｂは、裏面１７側から見て上開放部２１ａよりも大きい左右幅の横長直方体状の凹部空間を画成している。
【００２４】
また、前記第２横開放部２１ｃは、第１横開放部２１ｂよりも前後方向の奥行きが浅く、かつ、裏面１７側から見て第１横開放部２１ｂよりも小さい左右幅の横長直方体状の凹部空間を画成しており、第１横開放部２１ｂと第２横開放部２１ｃとの段差部分には、半円状の切欠部２１ｄが、第１横開放部２１ｂと同じ深さで形成されている。
【００２５】
以上の構成により、凹部２１は、第１横開放部２１ｂの奥行面２１ｆよりも第２横開放部２１ｃの奥行面２１ｇの方が本体３の裏面１７寄りに位置して、共に本体３の裏面１７と並行して延在し、上開放部２１ａの奥行面２１ｅが、第１横開放部２１ｂ側から本体３の上面１９側に向かうにつれて本体３の裏面１７から離れるように、本体３の裏面１７に対して傾斜して構成されている。
【００２６】
尚、本体３の上開放部２１ａの左右両側には、図３と、上面側から見た拡大部分斜視図である図４とに示すように、上開放部２１ａを経由せずに第１横開放部２１ｂの左右両端と本体３の上面１９とを直接連通する貫通孔２３ａ，２３ｂ（請求項中の被係合部に相当）が形成されている。
【００２７】
前記アタッチメント３１は、図５に正面側から見た拡大斜視図で示すように、ベース部３１ａと、ベース部３１ａの上方に連設された上突出片部３１ｂ及び係合爪部３１ｃ，３１ｄ（請求項中の係合部に相当）と、ベース部３１ａの下方に連設された下突出片部３１ｅ（請求項中のカバー片部に相当）とを有しており、このうち、ベース部３１ａ、上突出片部３１ｂ、及び、下突出片部３１ｅにより、請求項中の基部が構成されている。
【００２８】
前記ベース部３１ａは、本体３の凹部２１の第１横開放部２１ｂが画成する凹部空間に挿入可能な横長直方体状を呈しており、前記上突出片部３１ｂは、テーパ面３１ｆを有する台形柱状により、本体３の凹部２１の上開放部２１ａが画成する凹部空間に挿入可能に形成されていて、第１横開放部２１ｂと上開放部２１ａとの位置関係と同じ位置関係をベース部３１ａとの間に有するように形成されている。
【００２９】
また、前記係合爪部３１ｃ，３１ｄは、本体３の貫通孔２３ａ，２３ｂに挿入可能な形状で、本体３の第１横開放部２１ｂと貫通孔２３ａ，２３ｂとの位置関係と同じ位置関係をベース部３１ａとの間に有するように形成されている。
【００３０】
さらに、前記下突出片部３１ｅは、本体３の凹部２１の第２横開放部２１ｃが画成する凹部空間に挿入可能で、かつ、第１横開放部２１ｂと第２横開放部２１ｃとの位置関係と同じ位置関係をベース部３１ａとの間に有するように形成されており、ベース部３１ａ寄りの厚肉部３１ｇと、先端寄りの薄肉部３１ｈと、これら厚肉部３１ｇ及び薄肉部３１ｈを連絡するテーパ部３１ｊとを有している。
【００３１】
前記厚肉部３１ｇは、前記第２横開放部２１ｃの奥行き寸法と同じ肉厚で形成されており、前記薄肉部３１ｈは、前記第２横開放部２１ｃの奥行き寸法よりも薄い肉厚で形成されており、前記テーパ部３１ｊは、厚肉部３１ｇの肉厚から薄肉部３１ｈの肉厚に次第に肉厚が薄くなるように形成されていて、下突出片部３１ｅには、厚肉部３１ｇから薄肉部３１ｈに亘って、厚肉部３１ｇ側が小径のダルマ孔３１ｋ（請求項中の係止孔に相当）が形成されている。
【００３２】
また、前記ベース部３１ａの下突出片部３１ｅ側には、ベース部３１ａの正面と下突出片部３１ｅの厚肉部３１ｇの正面とを連絡するテーパ面３１ｎを有する切欠部３１ｍが形成されている。
【００３３】
尚、前記ベース部３１ａのテーパ面３１ｎには、このテーパ面３１ｎと直交する方向に延在してベース部３１ａを裏面側まで貫通するピン挿通孔３１ｐが形成されており、前記上突出片部３１ｂのテーパ面３１ｆには、このテーパ面３１ｆと直交する方向に延在して上突出片部３１ｂを裏面側まで貫通する２つのピン挿通孔３１ｒ，３１ｒが、左右に間隔をおいて形成されている。
【００３４】
そして、図６に裏面側から見た拡大斜視図で示すように、アタッチメント３１の裏面側は、係合爪部３１ｃ，３１ｄを除くベース部３１ａ、上突出片部３１ｂ、及び、下突出片部３１ｅが、同一平面状に位置するように形成されており、ダルマ孔３１ｋの左右両脇には、円錐状の係止爪３１ｓ，３１ｔが突設されている。
【００３５】
このように構成された本実施形態のアタッチメント３１は、その係合爪部３１ｃ，３１ｄを本体３の凹部２１の第１横開放部２１ｂ側から貫通孔２３ａ，２３ｂに挿入、係合させることで、図７に拡大斜視図で示すように、その裏面側が露出するように本体３の凹部２１に収納、取り付けされる。
【００３６】
この状態で、アタッチメント３１の下突出片部３１ｅのダルマ孔３１ｋの小径部分は、本体３の凹部２１の切欠部２１ｄに対向している。
【００３７】
次に、上述のように構成された本実施形態の火災警報器１を壁面に取り付け固定する際の手順について説明する。
【００３８】
まず、木製の壁の場合は、火災警報器１の取り付け位置の壁面に、アタッチメント３１の下突出片部３１ｅの厚肉部３１ｇの肉厚分だけ頭部が壁面から突出する程度に、不図示の木ねじを取り付けておき、この状態で、アタッチメント３１のダルマ孔３１ｋの大径寄り部分にアタッチメント３１の裏面側から木ねじの頭部を挿入させ、ダルマ孔３１ｋの輪郭に沿って不図示の木ねじを、ダルマ孔３１ｋの大径側から小径側に移動させて、ダルマ孔３１ｋの上端に当接させる。
【００３９】
すると、不図示の木ねじの頭部に根元側から当接するダルマ孔３１ｋの周縁部分が、下突出片部３１ｅの薄肉部３１ｈからテーパ部３１ｊ乃至厚肉部３１ｇへと移動し、それにつれてアタッチメント３１の下突出片部３１ｅの裏面が壁面に近づいて、壁面に面接触する時点では、突出片部３１ｅの裏面に突設された係止爪３１ｓ，３１ｔが壁面に押し付けられて食い込み、壁面に係止される。
【００４０】
これにより、裏面が壁面に密着するようにアタッチメント３１が壁面に隙間なく取り付けられて、係止爪３１ｓ，３１ｔの壁面への食い込み係止により、不図示の木ねじを回転中心としてアタッチメント３１が揺動、位置ずれしないように壁面に固定される。
【００４１】
一方、石膏ボード製の壁の場合は、火災警報器１の取り付け位置の壁面にアタッチメント３１の裏面を当て付けて、ベース部３１ａと上突出片部３１ｂのテーパ面３１ｎ，３１ｆに各々形成されたピン挿通孔３１ｐ，３１ｒ，３１ｒに、不図示の細径長尺のピンを挿通し、テーパ面３１ｎ，３１ｆからはみ出ないように不図示のピンを壁面の奥深くまで打ち込んで、壁面にアタッチメント３１を取り付け固定する。
【００４２】
これにより、裏面が壁面に密着するようにアタッチメント３１が壁面に隙間なく取り付けられて、係止爪３１ｓ，３１ｔの壁面への食い込み係止により、アタッチメント３１が位置ずれしないように壁面に固定される。
【００４３】
そこで、木製の壁と石膏ボード製の壁のいずれの場合にも、本体３を裏面１７側から壁面に近づけて、壁面に取り付けてあるアタッチメント３１の係合爪部３１ｃ，３１ｄの先端部分に、本体３の貫通孔２３ａ，２３ｂの第１横開放部２１ｂ側の開口端を嵌合することで、アタッチメント３１に凹部２１を取り付ける。
【００４４】
これにより、アタッチメント３１の裏面と同一平面上に位置する本体３の裏面１７が壁面に密着するように火災警報器１が壁面に隙間なく取り付けられて、アタッチメント３１を介して本体３が壁面に対して位置ずれしないように固定される。
【００４５】
以上の構成による本実施形態の火災警報器１によれば、木製や石膏ボード製の壁面に本体３を取り付けるのに用いられるアタッチメント３１が本体３の凹部２１に対応する形状であることから、凹部２１に取り付けられた状態でアタッチメント３１が本体３の外側にはみ出して見栄えを損ねることがない。
【００４６】
しかも、不図示の木ねじやピンにより壁面に取り付けてあるアタッチメント３１に本体３の凹部２１を取り付ける際に、本体３の上面１９に開放された上開放部２１ａの開口を通してアタッチメント３１を視認することができるので、火災警報器１の壁面への取り付け時に本体３と壁面との隙間が最もなくなる、アタッチメント３１の係合爪部３１ｃ，３１ｄの先端部分と本体３の貫通孔２３ａ，２３ｂとの位置合わせ作業を、両者の位置を視認しながら容易に行うことができる。
【００４７】
尚、本体３の貫通孔２３ａ，２３ｂは凹部２１の左右両側に設ける必要は必ずしもなく、例えば、凹部２１の左右方向中央の周縁の上面１９部分に単一個設けてもよく、その場合には、アタッチメント３１の係合爪部３１ｃ，３１ｄも、ベース部３１ａの上面の左右両端に設ける必要は必ずしもなく、例えば、ベース部３１ａの上面の左右方向中央に、上突出片部３１ｂの一部に代えて突設してもよい。
【００４８】
しかし、本実施形態の火災警報器１のように、本体３の凹部２１の左右両側に貫通孔２３ａ，２３ｂを設け、これに対応してアタッチメント３１のベース部３１ａの上面の左右両端に係合爪部３１ｃ，３１ｄを設けたり、あるいは、凹部２１の周縁の上面１９部分に貫通孔を３個以上設け、これに対応して、本体３のベース部３１ａの上面に係合爪部を３個以上突設する構成とすれば、本体３やアタッチメント３１の左右方向において火災警報器１を壁面にバランスよく取り付け固定することができるので、有利である。
【００４９】
また、本実施形態の火災警報器１のアタッチメント３１の上突出片部３１ｂの裏面側に突設した、ダルマ孔３１ｋの左右両脇の係止爪３１ｓ，３１ｔは、省略してもよいが、本実施形態の火災警報器１のように係止爪３１ｓ，３１ｔを有する構成とすれば、不図示の木ねじを中心としてアタッチメント３１乃至本体３が壁面に対して揺動したり、壁面に対するアタッチメント３１乃至本体３の位置がずれることのないように、火災警報器１を壁面に安定して取付固定することができるので、有利である。
【００５０】
ちなみに、係止爪３１ｓ，３１ｔの形状は、本実施形態で説明した円錐状に限らず、アタッチメント３１の上突出片部３１ｂの裏面を壁面に押し付けた際に壁面に食い込み係止できるのであれば任意である。
【００５１】
そして、本実施形態では火災警報器１を壁面に対して取り付け固定する場合を例に取って説明したが、本発明は、火災警報器１に限らず、アタッチメントを介して筐体を壁面に取り付ける装置の全般に、広く適用可能であることは言うまでもない。
【図面の簡単な説明】
【００５２】
【図１】本発明の一実施形態に係る火災警報器の正面側から見た斜視図である。
【図２】図１の火災警報器の裏面側から見た斜視図である。
【図３】図２の本体の裏面側から見た拡大部分斜視図である。
【図４】図２の本体の上面側から見た拡大部分斜視図である。
【図５】図２のアタッチメントの正面側から見た拡大斜視図である。
【図６】図２のアタッチメントの裏面側から見た拡大斜視図である。
【図７】図２のアタッチメントを本体の凹部に取り付けた状態を示す火災警報器の裏面側から見た斜視図である。
【符号の説明】
【００５３】
１  火災警報器（装置）
３  本体（筐体）
１７  本体裏面
１９  本体上面
２１  凹部
２３ａ，２３ｂ  貫通孔（被係合部）
３１  アタッチメント
３１ａ  ベース部（基部）
３１ｂ  上突出片部（基部）
３１ｃ，３１ｄ  係合爪部（係合部）
３１ｅ  下突出片部（基部、カバー片部）
３１ｋ  ダルマ孔（係止孔）
３１ｐ，３１ｒ，３１ｒ  ピン挿通孔
３１ｓ，３１ｔ  係止爪
【図１】
0004641489.tif 000002
【図２】
0004641489.tif 000003
【図３】
0004641489.tif 000004
【図４】
0004641489.tif 000005
【図５】
0004641489.tif 000006
【図６】
0004641489.tif 000007
【図７】
0004641489.tif 000008